(57)【要約】【課題】落下時等に外力がカメラ筐体に加わった際にレンズ鏡筒ユニットのレンズ保持枠の移動方向（光軸方向）への負荷を低減させるようにレンズ鏡筒ユニットのカメラ筐体内部における配置を工夫してカメラの小型化を阻害することなく耐衝撃性を確保し得るカメラを提供する。【解決手段】重心Ｇを通る法線を有する面を含んでなる外装部材１１と、外装部材の内部に配置され重心を通る法線のいずれに対しても非平行な方向に移動可能なレンズ２４ａ，２５ａを有してなるレンズ鏡筒ユニット１２とを備えてなる。【選択図】図１
2008102361.tif 000002
【特許請求の範囲】
【請求項１】
重心を通る法線を有する面を含んでなる外装部材と、
上記外装部材の内部に配置され、上記重心を通る法線のいずれに対しても非平行な方向に移動可能なレンズを有してなるレンズ鏡筒ユニットと、
を有することを特徴とするカメラ。
【請求項２】
重心を通る法線を有する第１の外装面と、全ての法線が上記重心を通らないように形成された第２の外装面とを含んでなる外装部材と、
レンズを保持し移動するレンズ枠を有してなり、このレンズ枠の移動方向と上記重心を通る法線とが非平行となるように上記外装部材の内部に配置されたレンズ鏡筒ユニットと、
を有することを特徴とするカメラ。
【請求項３】
重心を通る法線を有する面を含んでなる外装部材と、
上記外装部材のうち上記重心を通る法線を有する面上に外方に向けて、かつ上記重心を通る法線の延長上から外れた位置に形成される突状部と、
上記重心を通る法線と平行な方向に移動するレンズを有してなるレンズ鏡筒ユニットと、
を有することを特徴とするカメラ。
【発明の詳細な説明】
【技術分野】
【０００１】
この発明は、カメラ、詳しくはレンズ鏡筒ユニットを外装部材の内部に有するカメラであって、衝撃負荷を低減し耐衝撃性を考慮したレンズ鏡筒ユニットの配置及び外装部材の構造を有するカメラに関するものである。
【背景技術】
【０００２】
従来、写真撮影機能を有するカメラ等においては、使用者が気軽に携帯して持ち歩き、所望のときに取り出して使用することができるように小型化が望まれている。
【０００３】
そこで、従来のカメラにおいては、例えば前面側から光学部材に入射する光束の光軸を反射鏡等を用いて折り曲げて、当該入射光束を筐体内部の底面側等に配置した撮像素子の受光面へと導くように構成される屈曲光学系を適用することで筐体の薄型化を実現したレンズ鏡筒ユニットを具備するものが実用化されている。
【０００４】
このように、従来のカメラにおいては、撮影光学系として上記のような屈曲光学系を採用する等、種々の工夫によって、筐体の小型化や薄型化を実現したカメラが一般に実用化されまた普及している。
【０００５】
一方、上述したような種々の工夫によって筐体の小型化や薄型化を実現したカメラ等においては、使用者が所望のときに気軽に持ち運び使用することができるので、例えばカメラ等を携帯しての移動中やカメラ等の使用中において、当該カメラ等を使用者が誤って落下させたり構造物に衝突させてしまう等の可能性が高いといえる。
【０００６】
このように、カメラ等の移動時又は使用時等にカメラの筐体に対して意図しない衝撃等による外力が加わったような場合には、カメラの筐体を形成する外装部材だけではなく、カメラの内部構成部材、例えばレンズ鏡筒ユニット等に対しても不必要な負荷がかかることになる。
【０００７】
通常のカメラにおける筐体内部には、複数の光学レンズ等の光軸が一致するように各光学レンズ等をそれぞれ保持すると共に、一部の光学レンズを光軸に沿う方向に移動させ得るように構成したレンズ鏡筒ユニット等、可動部を有する構成部材が配設されている。
【０００８】
このようなカメラにおいては、例えばレンズ鏡筒ユニットのレンズ保持枠が移動する方向、即ち光学レンズの光軸に沿う方向と同方向の外力が、カメラの筐体に対して加わった場合には、レンズ保持枠や光学レンズが損傷する場合もあり得る。
【０００９】
例えば、図１１は、従来のカメラにおけるレンズ鏡筒ユニットの主要構成部材（レンズ保持枠群等）を取り出してその背面側から見た図である。
【００１０】
図１１に示すレンズ鏡筒ユニット１２１は、前面側から入射する光束を受けて、その光軸Ｏ１を第１レンズ保持枠１３０に固設される反射鏡１３０ａによって折り曲げて、その入射光束を光軸Ｏ２に沿う方向に、つまり底面側へと導くようにした屈曲光学系を有して構成されている。
【００１１】
このレンズ鏡筒ユニット１２１の主要部は、前面に向けて配設される第１レンズ群（図示せず）や反射鏡１３０ａ等を保持する第１レンズ保持枠１３０と、図１１に示す矢印Ｍ方向に摺動軸１２２ａ，１２２ｂに沿って移動可能な可動レンズ群である第２レンズ群１２４ａを保持する第２レンズ保持枠１２４と、同方向に移動する第３レンズ群１２５ａを保持する第３レンズ保持枠１２５と、第４レンズ群１２６ａを保持する第４レンズ保持枠１２６と、各レンズ群の光軸が一致するように第１〜第４レンズ保持枠１３０，１２４，１２５，１２６のそれぞれの一端側を保持すると共に、第２，第３レンズ保持枠１２４，１２５の移動をガイドする摺動軸１２２ａと、第３，第４レンズ保持枠１２５，１２６の他端側を保持すると共に第３レンズ保持枠１２５の移動をガイドする摺動軸１２２ｂ等によって構成されている。
【００１２】
そして、このレンズ鏡筒ユニット１２１が、カメラの内部に配置される際には、通常の場合、光軸Ｏ２が鉛直方向（図１１において矢印Ｘ方向）と一致するように配置される。
【００１３】
このように構成される上記レンズ鏡筒ユニット１２１を筐体内部に配設したカメラが、例えば鉛直方向（Ｘ方向）に落下した場合には、図１１の矢印Ｆ0で示す方向（鉛直方向Ｘと同方向）に、例えば第１レンズ保持枠１２４に衝撃力が生じる。
【００１４】
この落下時に生じる衝撃力が、レンズ鏡筒ユニット１２１の各構成部材に対して加わったとき、各レンズ保持枠や各レンズ群等を損傷してしまうことが考えられる。このうち、特に可動レンズである第２レンズ群１２４ａの第２レンズ保持枠１２４は、摺動軸１２２ａのみによって移動自在に保持される片持ち状態となっていることから、同第２レンズ保持枠１２４には、図１１の矢印Ｒ方向（同図において反時計方向）の曲げモーメントが同時に働くことになる。
【００１５】
そこで、落下時や衝突時等に、カメラの内部構成部材、特にレンズ鏡筒ユニットに対して加わる衝撃力を、できるだけ緩和したり抑制したり吸収したりする技術についての種々の提案が、例えば特開２００５−２９２５１４号公報，特開平５−３３３２５４号公報等によって、従来なされている。
【００１６】
上記特開２００５−２９２５１４号公報によって開示されているカメラは、レンズ鏡筒ユニットにおけるレンズ保持枠の摺動軸にコイルバネ等の付勢部材を挿通配置させることで、このレンズ保持枠の摺動方向であって光学レンズの光軸に沿う方向の外力による衝撃を緩和すると共に、レンズ保持枠が接触する接触面積を大きくすることにより、接触部分への応力集中を緩和しているというものである。
【００１７】
また、上記特開平５−３３３２５４号公報によって開示されているカメラは、レンズ鏡筒ユニットにおけるレンズ枠に、光軸及びガイド軸，駆動軸に対して垂直方向のバネ性を有する部材を設け、このバネ性部材に駆動軸を押圧螺合させて構成している。
【特許文献１】特開２００５−２９２５１４号公報
【特許文献２】特開平５−３３３２５４号公報
【発明の開示】
【発明が解決しようとする課題】
【００１８】
ところが、上記特開２００５−２９２５１４号公報，特開平５−３３３２５４号公報等によって開示されている手段では、外力が加わることにより生じる衝撃力を緩和するために、付勢部材等の何らかの構造物を追加したり、形状を変更する等の措置が必要になるため、カメラ内部の省スペース化を考慮した場合、不利な手段であるという問題点がある。
【００１９】
本発明は、上述した点に鑑みてなされたものであって、その目的とするところは、落下時や衝突時等、意図しない外力がカメラ筐体に加わった際に、レンズ鏡筒ユニットにおけるレンズ保持枠の移動方向（光軸方向）への負荷を低減させ得るように当該レンズ鏡筒ユニットのカメラ筐体内部における配置を工夫することで、カメラ自体の小型化を阻害することなく耐衝撃性を確保し得るカメラを提供することである。
【課題を解決するための手段】
【００２０】
上記目的を達成するために、本発明によるカメラは、重心を通る法線を有する面を含んでなる外装部材と、上記外装部材の内部に配置され、上記重心を通る法線のいずれに対しても非平行な方向に移動可能なレンズを有してなるレンズ鏡筒ユニットと、を有することを特徴とする。
【００２１】
また、本発明によるカメラは、重心を通る法線を有する第１の外装面と、全ての法線が上記重心を通らないように形成された第２の外装面とを含んでなる外装部材と、レンズを保持し移動するレンズ枠を有してなり、このレンズ枠の移動方向と上記重心を通る法線とが非平行となるように上記外装部材の内部に配置されたレンズ鏡筒ユニットと、を有することを特徴とする。
【００２２】
そして、本発明によるカメラは、重心を通る法線を有する面を含んでなる外装部材と、上記外装部材のうち上記重心を通る法線を有する面上に外方に向けて、かつ上記重心を通る法線の延長上から外れた位置に形成される突状部と、上記重心を通る法線と平行な方向に移動するレンズを有してなるレンズ鏡筒ユニットと、を有することを特徴とする。
【発明の効果】
【００２３】
本発明によれば、落下時や衝突時等、意図しない外力がカメラ筐体に加わった際に、レンズ鏡筒ユニットにおけるレンズ保持枠の移動方向（光軸方向）への負荷を低減させ得るように当該レンズ鏡筒ユニットのカメラ筐体内部における配置を工夫することで、カメラ自体の小型化を阻害することなく、同レンズ鏡筒ユニットの耐衝撃性を確保し得るカメラを提供することができる。
【発明を実施するための最良の形態】
【００２４】
以下、図示の実施の形態によって本発明を説明する。
【００２５】
図１は、本発明の第１の実施形態のカメラを背面側から見た際の図である。この図１では、一部を破いて示すことにより、当該カメラの内部に設けられるレンズ鏡筒ユニットの配置状態を示している。図２は、図１のカメラの内部に設けられるレンズ鏡筒ユニットを取り出して背面側を示す外観斜視図である。図３は、図２のレンズ鏡筒ユニットにおける複数のレンズ及びそのレンズ保持枠と各レンズ保持枠を保持する摺動軸からなるレンズ枠ユニットを取り出して背面側を示す外観斜視図である。図４は、図１のカメラにおけるレンズ鏡筒ユニットの主要構成部材（レンズ保持枠群等）を取り出してその背面側から見た図である。
【００２６】
図１に示すように、本実施形態のカメラ１は、略直方体の箱型形状からなる筐体を形成する外装部材１１の内部の所定の位置にレンズ鏡筒ユニット１２を所定の形態で配置して構成されている。
【００２７】
外装部材１１の背面側には、各種の操作を行なう複数の操作部材１３と、表示装置１５の表示部が設けられている。外装部材１１の上面側には、シャッターボタン１４等が配設されている。外装部材１１の一側面にはストラップ金具１６が配設されている。
【００２８】
外装部材１１は、底面１１ａ，左側面１１ｃ，上面１１ｅ，右側面１１ｇと、背面及び前面を有してなる略六面体により形成されている。
【００２９】
なお、以下の説明においては、カメラ１を背面側から見た場合（図１に示す状態）を基準にして、その左右を規定している。したがって、図１において左側に示す側面を左側面１１ｃと、同図において右側に示す側面を右側面１１ｇと呼ぶものとする。
【００３０】
そして、外装部材１１を形成する各面の関係は、底面１１ａと左側面１１ｃとが角部１１ｂを介して連設されており、左側面１１ｃと上面１１ｅとが角部１１ｄを介して連設されており、上面１１ｅと右側面１１ｇとが角部１１ｆを介して連設されており、右側面１１ｇと底面１１ａとが角部１１ｈを介して連設されている。
【００３１】
この外装部材１１の内部には、レンズ鏡筒ユニット１２が所定の位置に所定の形態で配置されている。なお、外装部材１１に対するレンズ鏡筒ユニット１２の配置状態についての詳細は後述する。
【００３２】
このカメラ１の重心は、図１において符合Ｇで示す位置にあるものとする。この場合において、外装部材１１は、この重心Ｇを通る法線を有する面を持つように形成されている。
【００３３】
即ち、具体的には、例えば図１において外装部材１１の底面１１ａの法線Ｎ１は重心Ｇを通る。同図において、左側面１１ｃの法線Ｎ２は重心Ｇを通る。同図において、角部１１ｄの法線Ｎ３は重心Ｇを通る。同図において、外装部材１１の上面１１ｅの一端とシャッターボタン１４の上面とを結ぶ面Ａの法線Ｎ４は重心Ｇを通る。同図において、右側面１１ｇから突設されるストラップ金具１６の外縁側の面１６ａの法線Ｎ５は重心Ｇを通る。同図において、角部１１ｈの法線Ｎ６は重心Ｇを通る。
【００３４】
また、カメラ前面及び背面を平面とすれば、それぞれに重心を通る法線を有するが、これらの法線は、後述のレンズ鏡筒ユニット１２の光軸Ｏ２とは非平行である。
【００３５】
なお、外装部材１１の上面１１ｅの一端とシャッターボタン１４の上面とを結ぶ面Ａは、本カメラ１を上面側が所定の平面に接するように載置したとき、その平面に接する仮想面である。このとき、実際に当該平面に接するカメラ１の部位としては、上面１１ｅの一端（角部１１ｄ近傍）とシャッターボタン１４の上面との二つの部位となる。
【００３６】
このように、本実施形態における外装部材１１は、カメラ１の重心Ｇを通る法線を有する面を含んで形成されている。
【００３７】
一方、レンズ鏡筒ユニット１２は、図２に示すように前面側から入射する光束を受けて、その光軸Ｏ１を第１レンズ保持枠３０に固設される反射鏡３０ａによって折り曲げて、その入射光束を光軸Ｏ２に沿う方向に、つまり底面側へと導くようにした屈曲光学系を有して構成されている。
【００３８】
このレンズ鏡筒ユニット１２の主要部材としては、複数のレンズ及びそのレンズ保持枠と各レンズ保持枠を保持する摺動軸からなるレンズ枠ユニット２１（詳細は後述する。図３参照）と、第２レンズ保持枠２４と第３レンズ保持枠２５との間に固設されるシャッタ枠３５と、このシャッタ枠３５に固設されるシャッタ駆動モータ３４と、フォーカシングモータ３２と、ズーミングモータ３３等によって主に構成されている。
【００３９】
レンズ枠ユニット２１は、図３に示すように前面に向けて配設される第１レンズ群（図示せず）や反射鏡３０ａ等を保持する第１レンズ保持枠３０と、図２に示す矢印Ｍ方向に摺動軸２２ａ，２２ｂに沿って移動可能な可動レンズ群である第２レンズ群２４ａを保持する第２レンズ保持枠２４と、同方向に移動する第３レンズ群２５ａを保持する第３レンズ保持枠２５と、第４レンズ群２６ａを保持する第４レンズ保持枠２６と、各レンズ群の光軸が一致するように第１〜第４レンズ保持枠３０，２４，２５，２６のそれぞれの一端側を保持すると共に、第２，第３レンズ保持枠２４，２５の移動をガイドする摺動軸２２ａと、第３，第４レンズ保持枠２５，２６の他端側を保持すると共に、第３レンズ保持枠２５の移動をガイドする摺動軸２２ｂ等によって構成される。
【００４０】
そして、このように構成されるレンズ鏡筒ユニット１２は、カメラ１の内部において、図１に示すような配置状態で固設されている。
【００４１】
即ち、本実施形態のカメラ１においては、レンズ鏡筒ユニット１２の可動レンズ（第２レンズ群２４ａ，第３レンズ群２５ａ）の移動方向（光軸Ｏ２に沿う方向）が、本カメラ１の重心を通る外装部材１１の各面における法線（Ｎｘ）のいずれに対しても非平行な方向となるように、レンズ鏡筒ユニット１２はカメラ１の内部に配置されている。
【００４２】
このように構成された本実施形態のカメラ１が、例えば外装部材１１の底面１１ａを下側にして鉛直方向（矢印Ｘ１方向）に落下した場合には、第１レンズ保持枠２４には、図４の矢印Ｆで示す力量が発生し、床面等に衝突することになる。その衝突時には、同矢印Ｆで示される落下衝撃力量は、同図に示す矢印Ｆ１と矢印Ｆ２との二方向への力量に分力される。これと同時に、第２レンズ保持枠２４には、図４に示す矢印Ｒ１方向（同図において反時計方向）の曲げモーメントが働く。
【００４３】
このように、本実施形態のカメラ１では、レンズ鏡筒ユニット１２における第２レンズ保持枠２４に加わる衝撃力量Ｆ１は、鉛直方向（Ｘ方向）への衝撃力量Ｆよりも小となる（Ｆ＞Ｆ１）。
【００４４】
つまり、カメラ１が落下する時、レンズ鏡筒ユニット１２（の可動レンズ）に加わる衝撃力は、その落下方向（図４において矢印Ｘに沿う方向）と可動レンズの移動方向（光軸Ｏ２）とが一致するときに最大力量Ｆとなるが、カメラ１の落下方向（Ｘ方向）に対して光軸Ｏ２が非平行となるようにレンズ鏡筒ユニット１２の配置が設定されていることによって、当該レンズ教徒ユニット１２に加わる衝撃力を低減化している。
【００４５】
ここで、本実施形態のカメラ１が落下する際の動作の一例を、図５，図６によって以下に説明する。
【００４６】
図５は、本実施形態のカメラが平面状の床面等に落下したときに、同カメラの底面が落下面と略平行な姿勢で接地した場合の動作を経時的に示す概念図である。
【００４７】
まず、本実施形態のカメラ１が平面状の床面（以下、落下面という）１００に向けて落下する場合において、同カメラ１の底面１１ａと落下面１００とが略平行な姿勢で図５（Ａ）の矢印Ｘ１方向に落下した場合を考える。この場合、カメラ１のレンズ鏡筒ユニット１２の光軸Ｏ２は、落下方向Ｘ１に対して非平行であり、かつ底面１１ａの重心を通る法線Ｎ１（図１参照）に対しても非平行である。
【００４８】
この姿勢を維持したまま、図５（Ｂ）に示すように、カメラ１の底面１１ａが落下面１００に接地すると、そのときレンズ鏡筒ユニット１２の第１レンズ保持枠２４に加わる衝撃力は、図４を用いて上述したように、図４の符合Ｆ１で示す力量となる。
【００４９】
カメラ１は、落下面１００に接地し衝突した後、図５（Ｃ）に示すように矢印Ｘ２方向へ跳ね返ることになる。ここで、跳ね返り方向（矢印Ｘ２方向）は、落下方向Ｘ１に沿う方向であって、その反対方向である。
【００５０】
このように、図５に示すような姿勢でカメラ１が落下した場合、落下によって生じる衝撃力Ｆ（図４参照）がレンズ鏡筒ユニット１２の第１レンズ保持枠２４に加わるときには、力量Ｆよりも小である分力の力量Ｆ１（図４参照）となる。したがって、本実施形態のレンズ鏡筒ユニット１２に加わる衝撃力は、従来形態のカメラ（図１１参照）において落下方向Ｘと光軸Ｏ２とが一致したときに比べて低減されている。
【００５１】
次に、図６は、本実施形態のカメラが平面状の床面等に落下したときに、同カメラのレンズ鏡筒ユニットの光軸が落下面に対して略直交する姿勢で接地した場合の動作を経時的に示す概念図である。
【００５２】
図６で示す例は、カメラ１が落下面１００に向けて落下する場合であって、同カメラ１の底面１１ａが落下面１００に対して非平行な姿勢で図６（Ａ）の矢印Ｘ１方向に落下した場合である。
【００５３】
この場合、カメラ１のレンズ鏡筒ユニット１２の光軸Ｏ２は、例えば落下方向Ｘ１に略平行となり、底面１１ａと落下面１００とが非平行となる姿勢となっている。
【００５４】
この姿勢を維持したまま、図６（Ｂ）に示すように、まず真っ先にカメラ１の角部１１ｈが落下面１００に接地する。
【００５５】
次いで、カメラ１は、この接地点である角部１１ｈを回転中心として図６（Ｂ）に示す矢印Ｘ３方向（同図において反時計方向）に回転し、底面１１ａが落下面１００に接地する方向に姿勢変化する。つまり、落下によってカメラ１が落下面１００に衝突したときに生じる衝撃力は、矢印Ｘ３方向への回転力に変換されることになる。
【００５６】
そして、カメラ１の角部１１ｂが落下面１００に接地したとき、同カメラ１の矢印Ｘ３方向への回転力は、図６（Ｃ）に示すように角部１１ｂを回転中心として図６（Ｃ）に示す矢印Ｘ４方向（同図において反時計方向）にカメラ１を回転させる。これにより、カメラ１は、同図（Ｃ）に示すような状態に姿勢変化する。
【００５７】
そして、カメラ１は、矢印Ｘ４方向の回転力を受けつつ、図６（Ｄ）に示す矢印Ｘ２方向への跳ね返り力を受けることになる。
【００５８】
このように、図６に示すような姿勢でカメラ１が落下した場合、落下によって生じる衝撃力は、落下面１００に衝突したとき、カメラ１を回転させる回転力に変換され減衰される。これにより、レンズ鏡筒ユニット１２に加わる衝撃力も低減される。
【００５９】
以上説明したように本発明の第１の実施形態によれば、レンズ鏡筒ユニット１２の可動レンズ（第２レンズ群２４ａ，第３レンズ群２５ａ）の移動方向（光軸Ｏ２）が、カメラ１の重心を通る外装部材１１の各面における法線（Ｎｘ）のいずれに対しても非平行な方向となるように、カメラ１の内部においてレンズ鏡筒ユニット１２を配置するようにしている。即ち、落下寸前に有するカメラのポテンシャルエネルギーを、落下後回転エネルギーに転換し、徐々にエネルギーを消費させることにより、カメラ１の落下時や衝突時等に生じる衝撃力によるレンズ鏡筒ユニット１２への負荷を低減することができる。
【００６０】
本実施形態による構成によれば、構成部材を追加する必要がないので、カメラ１自体の小型化を阻害することなく、外装部材１１の内部におけるレンズ鏡筒ユニット１２の配置を工夫することのみで、レンズ鏡筒ユニット１２の耐衝撃性を確保することができる。
【００６１】
次に、本発明の第２の実施形態について、以下に説明する。
【００６２】
図７は、本発明の第２の実施形態のカメラを背面側から見た際の図である。この図７では、図１と同様に、一部を破いて示すことにより、当該カメラの内部に設けられるレンズ鏡筒ユニットの配置状態を示している。図８は、本実施形態のカメラが平面状の床面等に落下したときに、同カメラのレンズ鏡筒ユニットの光軸が落下面に対して略直交する姿勢で接地した場合の動作を経時的に示す概念図である。
【００６３】
本実施形態のカメラ１Ａ（図７参照）の構成は、上述の第１の実施形態のカメラ１（図１参照）と略同様の構成からなる。そして、外装部材１１Ａの形状が若干異なると共に、レンズ鏡筒ユニット１２の外装部材１１Ａの内部における配置形態が異なる。したがって、上述の第１の実施形態と略同様の構成については、その詳細説明を省略し、異なる部材についてのみ以下に説明する。
【００６４】
本実施形態のカメラ１Ａの外装部材１１Ａは、底面及び左側面１１ｃ，上面，右側面１１ｇと、背面及び前面を有してなる略六面体により形成されているのは、上述の第１の実施形態と同様であるが、本実施形態においては、外装部材１１Ａの底面側及び上面側の形状が若干異なる。
【００６５】
即ち、外装部材１１Ａの底面は、右側面１１ｇ寄りにあって、左右両側面１１ｃ，１１ｇに対して略直交する面からなる基準底面１１ａと、この基準底面１１ａから連続して形成される面であって、同基準底面１１ａに対して所定の角度を有して形成される傾斜面１１ａａとによって形成される。この傾斜面１１ａａは、図７に示すように、カメラ１の背面側から見たとき基準底面１１ａから左上がりの傾斜を有して形成され、左側面１１ｃと角部１１ｂを介して連設されている。
【００６６】
また、外装部材１１Ａの上面は、右側面１１ｇ寄りにあって、左右両側面１１ｃ，１１ｇに対して略直交する面からなる基準上面１１ｅと、この基準上面１１ｅから連続して形成される面であって、同基準上面１１ｅに対して所定の角度を有して形成される傾斜面１１ｅｅとによって形成される。この傾斜面１１ｅｅは、図７に示すように、カメラ１の背面側から見たとき基準上面１１ｅから左下がりの傾斜を有して形成され、左側面１１ｃと角部１１ｄを介して連設されている。
【００６７】
なお、基準底面１１ａと基準上面１１ｅとは略平行に形成されており、傾斜面１１ａａと傾斜面１１ｅｅとは、カメラ１の上下方向において略対称形となるように形成されている。これにより、本カメラ１Ａの外装部材１１Ａは、背面側からみたときの形状が、いわゆる楔形状に形成されている。なお、基準上面１１ｅには、シャッターボタン１４等の外方へ向けた突起物が配設されていることから、カメラ１Ａとしてみたとき、外装部材１１Ａの基準上面１１ｅの近傍部位は、平面状に形成されているわけではない。
【００６８】
ここで、本カメラ１Ａの重心は、図７において符合Ｇで示す位置にあるものとする。この場合において、外装部材１１Ａは、この重心Ｇを通る法線を有する面である第１の外装面と、全ての法線が重心Ｇを通らないように形成される第２の外装面（基準底面１１ａ）とを持つように形成されている。
【００６９】
即ち、具体的には、例えば図７において外装部材１１Ａの底面側の傾斜面１１ａａの法線ＮＡ１は重心Ｇを通る。同図において、角部１１ｂの法線ＮＡ２は重心Ｇを通る。同図において、左側面１１ｃの法線ＮＡ３は重心Ｇを通る。同図において、外装部材１１Ａの上面側の傾斜面１１ｅｅの一端とシャッターボタン１４の上面とを結ぶ面Ａの法線ＮＡ４は重心Ｇを通る。同図において、角部１１ｆの法線ＮＡ５は重心Ｇを通る。同図において、右側面１１ｇから突設されるストラップ金具１６の外縁側の面１６ａの法線ＮＡ６は重心Ｇを通る。このように、重心Ｇを通る法線を有する上記各外装面を第１の外装面と言うものとする。
【００７０】
一方、上記第１の外装面以外の外装面であって第２の外装面となる基準底面１１ａの全ての法線は、重心Ｇを通らないように形成されている。
【００７１】
このように形成される外装部材１１Ａの内部に、レンズ鏡筒ユニット１２が所定の位置に所定の形態で配置されている。なお、本実施形態においては、レンズ鏡筒ユニット１２自体の構成は、上述の第１の実施形態と全く同様であり、同じ符合を附している。
【００７２】
即ち、レンズ鏡筒ユニット１２は、外装部材１１Ａの内部において、可動レンズ（第２レンズ群２４ａ，第３レンズ群２５ａ。図２，図３等参照）の移動方向であって、光軸Ｏ２に沿う方向が、外装部材１１Ａにおける重心Ｇを通る法線のいずれに対しても非平行となるように配置されている。
【００７３】
また、レンズ鏡筒ユニット１２は、その光軸Ｏ２が、基準底面１１ａに対して略直交する方向（即ち第２の外装面の法線）に対して略平行となるように配置されている。換言すれば、基準底面１１ａと光軸Ｏ２との関係は、図７において基準底面１１ａを延長させて示す仮想面Ｂに対して光軸Ｏ２が略直交するように設定されている。
【００７４】
このように構成された本実施形態のカメラ１Ａが、例えば図８（Ａ）に示すように外装部材１１Ａの底面側を下側にして、その基準底面１１ａと落下面１００とが略平行となる姿勢で、鉛直方向（図８（Ａ）の矢印Ｘ１方向）に落下した場合には、まず、図８（Ｂ）に示すように基準底面１１ａが落下面１００に接触する。
【００７５】
次いで、カメラ１Ａは、この接地点である基準底面１１ａを回転中心として図８（Ｂ）に示す矢印Ｘ３方向（同図において反時計方向）に回転し、底面側の傾斜面１１ａａが落下面１００に接地する方向に姿勢変化する。
【００７６】
そして、カメラ１Ａの角部１１ｂが落下面１００に接地したとき、同カメラ１Ａの矢印Ｘ３方向への回転力は、図８（Ｃ）に示すように角部１１ｂを回転中心として同図（Ｃ）に示す矢印Ｘ４方向（同図において反時計方向）にカメラ１Ａを回転させる。これにより、カメラ１Ａは、図８（Ｃ）に示すような状態に姿勢変化する。
【００７７】
そして、カメラ１Ａは、矢印Ｘ４方向の回転力を受けつつ、図８（Ｄ）に示す矢印Ｘ２方向への跳ね返り力を受けることになる。
【００７８】
このように、図８に示す姿勢でカメラ１Ａが落下した場合、落下によって生じる衝撃力は、落下面１００に衝突したとき、カメラ１Ａを回転させる回転力に変換され減衰される。これにより、レンズ鏡筒ユニット１２に加わる衝撃力も低減される。
【００７９】
以上説明したように本発明の第２の実施形態によれば、重心Ｇを通る法線を有する第１の外装面と、全ての法線が重心Ｇを通らないように形成される第２の外装面とを含んで外装部材１１Ａを形成すると共に、レンズ鏡筒ユニット１２の可動レンズの移動方向（光軸Ｏ２）が、カメラ１の重心Ｇを通る法線（ＮＡｘ）のいずれに対しても非平行となるように、カメラ１Ａの内部においてレンズ鏡筒ユニット１２を配置することで、カメラ１Ａの落下時や衝突時等に生じる衝撃力によるレンズ鏡筒ユニット１２への負荷を低減する。したがって、構成部材を追加する必要がないので、カメラ１Ａ自体の小型化を阻害することなく、外装部材１１Ａの内部におけるレンズ鏡筒ユニット１２の配置を工夫することのみで、レンズ鏡筒ユニット１２の耐衝撃性を確保することができる。
【００８０】
次に、本発明の第３の実施形態について、以下に説明する。
【００８１】
図９は、本発明の第３の実施形態のカメラを背面側から見た際の図である。この図９では、図１と同様に、一部を破いて示すことにより、当該カメラの内部に設けられるレンズ鏡筒ユニットの配置状態を示している。図１０は、本実施形態のカメラが平面状の床面等に落下したときに、同カメラのレンズ鏡筒ユニットの光軸が落下面に対して略直交する姿勢で接地した場合の動作を経時的に示す概念図である。
【００８２】
本実施形態のカメラ１Ｂ（図９参照）の構成は、上述の第１の実施形態のカメラ１（図１参照）と略同様の構成からなる。そして、本実施形態においては、外装部材１１Ｂのうちの所定の外装面上の所定の位置に外方に向けて形成される突状部１７を有してなり、レンズ鏡筒ユニット１２の外装部材１１Ｂの内部における配置形態が異なるのみである。したがって、上述の第１の実施形態と略同様の構成については、その詳細説明を省略し、異なる部材についてのみ以下に説明する。
【００８３】
本実施形態のカメラ１Ｂの外装部材１１Ｂは、底面１１ａ，左側面１１ｃ，上面１１ｅ，右側面１１ｇと、背面及び前面を有してなる略六面体により形成されているのは、上述の第１の実施形態と全く同様である。これに加えて、本実施形態においては、外装部材１１Ｂのうちの底面１１ａの面上であって角部１１ｂの近傍に、外方に向けて形成される突状部１７が設けられている。この突状部１７は、外装部材１１Ｂの一部を突形状に形成してもよいし、外装部材１１Ｂとは別体の突状部材を外装部材１１Ｂの所定の位置に接着等の手段で一体となるように配設するようにしてもよい。
【００８４】
ここで、本カメラ１Ｂの重心は、図９において符合Ｇで示す位置にあるものとする。この場合において、外装部材１１Ｂは、この重心Ｇを通る法線を有する面を持つように形成されている。
【００８５】
即ち、具体的には、例えば図９において外装部材１１Ｂの底面１１ａの法線ＮＢ１は重心Ｇを通る。同図において、突状部１７の外縁部の接線における法線ＮＢ２は重心Ｇを通る。同図において、角部１１ｂの法線ＮＢ３は重心Ｇを通る。同図において、左側面１１ｃの法線ＮＢ４は重心Ｇを通る。同図において、外装部材１１Ｂの上面１１ｅの一端とシャッターボタン１４の上面とを結ぶ面Ａの法線ＮＢ５は重心Ｇを通る。同図において、角部１１ｆの法線ＮＢ６は重心Ｇを通る。同図において、右側面１１ｇから突設されるストラップ金具１６の外縁側の面１６ａの法線ＮＢ７は重心Ｇを通る。
【００８６】
なお、外装部材１１Ｂの底面１１ａの一端と突状部１７の外面とを結ぶ面Ｃ（図９において二点鎖線で示す）は、本カメラ１Ｂを底面側が所定の平面に接するように載置したとき、その平面に接する仮想面である。このとき、実際に当該平面に接するカメラ１Ｂの部位としては、底面１１ａの一端（角部１１ｈ近傍）と突状部１７の下面との二つの部位となる。
【００８７】
本実施形態における外装部材１１Ｂは、カメラ１Ｂの重心Ｇを通る法線ＮＢ１を有する面である底面１１ａを含んで形成されている。これと同時に、外装部材１１Ｂのうち重心Ｇを通る法線ＮＢ１を有する底面１１ａ上に外方に向けて、かつ重心Ｇを通る法線ＮＢ１の延長上からは外れた位置、つまり角部１１ｂ近傍に突状部１７が形成されている。ここで、突状部１７の配置は、重心Ｇを通る法線ＮＢ１の延長上から外れる距離ができるだけ遠く（長く）なる位置とするのが望ましい。
【００８８】
このように形成される外装部材１１Ｂの内部に、レンズ鏡筒ユニット１２が所定の位置に所定の形態で配置されている。なお、本実施形態においては、レンズ鏡筒ユニット１２自体の構成は、上述の第１の実施形態と全く同様であり、同じ符合を附している。
【００８９】
即ち、レンズ鏡筒ユニット１２は、外装部材１１Ｂにおける重心Ｇを通る法線ＮＢ１と平行な方向に移動する可動レンズ（第２レンズ群２４ａ，第３レンズ群２５ａ。図２，図３等参照）を有して構成されている。
【００９０】
換言すれば、例えばレンズ鏡筒ユニット１２は、その光軸Ｏ２が、底面１１ａに対して略直交する方向、即ち底面１１ａの法線ＮＢ１と略平行となるように配置されている。
【００９１】
このように構成された本実施形態のカメラ１Ｂが、例えば図１０（Ａ）に示すように外装部材１１Ｂの底面側を下側にして、その底面１１ａと落下面１００とが略平行となる姿勢で、鉛直方向（図１０（Ａ）の矢印Ｘ１方向）に落下した場合には、まず、図１０（Ｂ）に示すように、突状部１７の下面が落下面１００に接触する。
【００９２】
次いで、カメラ１Ｂは、この突状部１７を回転中心として図１０（Ｂ）に示す矢印Ｘ５方向（同図において時計方向）に回転し、姿勢変化が生じる。そして、図１０（Ｃ）に示すように角部１１ｈが落下面１００に接地する。
【００９３】
カメラ１Ｂの角部１１ｈが落下面１００に接地したとき、同カメラ１Ｂの矢印Ｘ５方向への回転力は、図１０（Ｃ）に示すように角部１１ｈを回転中心として同図（Ｃ）に示す矢印Ｘ６方向（同図において反時計方向）にカメラ１Ｂを回転させる反発力となる。これにより、カメラ１Ｂは、図１０（Ｃ）に示すような状態に姿勢変化する。
【００９４】
そして、カメラ１Ｂは、矢印Ｘ６方向の回転力を受けつつ、図１０（Ｄ）に示す矢印Ｘ２方向への跳ね返り力を受けることになる。
【００９５】
このように、図１０に示す姿勢でカメラ１Ｂが落下した場合、落下によって生じる衝撃力は、落下面１００に衝突したとき、カメラ１Ｂを回転させる回転力に変換され減衰される。これにより、レンズ鏡筒ユニット１２に加わる衝撃力も低減される。
【００９６】
以上説明したように本発明の第３の実施形態によれば、重心Ｇを通る法線を有する外装部材１１Ｂにおいて、重心Ｇを通る法線を有する底面１１ａの面上であって、同重心Ｇを通る法線の延長上から外れた位置に、外方に向けて突設される突状部１７を設けると共に、レンズ鏡筒ユニット１２の光軸Ｏ２、即ち可動レンズの移動方向と、重心Ｇを通る法線ＮＢ１とが平行となるように、カメラ１Ｂの内部においてレンズ鏡筒ユニット１２を配置して構成している。これによって、カメラ１Ｂの落下時や衝突時等に生じる衝撃力によるレンズ鏡筒ユニット１２への負荷を低減する。したがって、構成部材を追加する必要がないので、カメラ１Ｂ自体の小型化を阻害することなく、外装部材１１Ｂの内部におけるレンズ鏡筒ユニット１２の配置を工夫することのみで、レンズ鏡筒ユニット１２の耐衝撃性を確保することができる。
【００９７】
なお、本発明は上述した実施形態に限定されるものではなく、発明の主旨を逸脱しない範囲内において種々の変形や応用が可能であることは勿論である。
【図面の簡単な説明】
【００９８】
【図１】本発明の第１の実施形態のカメラの背面図。
【図２】図１のカメラの内部に設けられるレンズ鏡筒ユニットを取り出して背面側を示す外観斜視図。
【図３】図２のレンズ鏡筒ユニットにおけるレンズ枠ユニットを取り出して背面側を示す外観斜視図。
【図４】図１のカメラにおけるレンズ鏡筒ユニットの主要構成部材（レンズ保持枠群等）を取り出して示す背面図。
【図５】図１のカメラが平面状の床面等に落下したときに、同カメラの底面が落下面と略平行な姿勢で接地した場合の動作を経時的に示す概念図。
【図６】図１のカメラが平面状の床面等に落下したときに、同カメラのレンズ鏡筒ユニットの光軸が落下面に対して略直交する姿勢で接地した場合の動作を経時的に示す概念図。
【図７】本発明の第２の実施形態のカメラの背面図。
【図８】図７のカメラが平面状の床面等に落下したときに、同カメラのレンズ鏡筒ユニットの光軸が落下面に対して略直交する姿勢で接地した場合の動作を経時的に示す概念図。
【図９】本発明の第３の実施形態のカメラの背面図。
【図１０】図９のカメラが平面状の床面等に落下したときに、同カメラのレンズ鏡筒ユニットの光軸が落下面に対して略直交する姿勢で接地した場合の動作を経時的に示す概念図。
【図１１】従来のカメラにおけるレンズ鏡筒ユニットの主要構成部材（レンズ保持枠群等）を取り出して示す背面図。
【符号の説明】
【００９９】
１，１Ａ，１Ｂ……カメラ
１１，１１Ａ，１１Ｂ……外装部材
１２，１２１……レンズ鏡筒ユニット
１７……突状部
２１……レンズ枠ユニット
２２ａ，２２ｂ，１２２ａ，１２２ｂ……摺動軸
２４，１２４……第２レンズ保持枠
２４ａ，１２４ａ……第２レンズ群
２５，１２５……第３レンズ保持枠
２５ａ，１２５ａ……第３レンズ群
２６，１２６……第４レンズ保持枠
２６ａ，１２６ａ……第４レンズ群
３０，１３０……第１レンズ保持枠
３０ａ，１３０ａ……反射鏡
１００……落下面
Ｇ……重心
Ｎ，ＮＡ，ＮＢ……法線
【図１】
2008102361.tif 000003
【図２】
2008102361.tif 000004
【図３】
2008102361.tif 000005
【図４】
2008102361.tif 000006
【図５】
2008102361.tif 000007
【図６】
2008102361.tif 000008
【図７】
2008102361.tif 000009
【図８】
2008102361.tif 000010
【図９】
2008102361.tif 000011
【図１０】
2008102361.tif 000012
【図１１】
2008102361.tif 000013